(57)【要約】  第１の部分、及び第１の部分に対して対角線上に向けられた対角部分を備えるデスクトップ。第１の部分及び対角部分の両方はそれぞれ、上面、前記上面の反対側の底面、複数の側面、及び各部分を実質的に二等分する、それぞれに対する第１及び第２の長手方向軸を有する。第１の部分及び対角部分は、第１の長手方向軸及び第２の長手方向軸が互いに対角になるように向けられる。デスクトップは、上面、上面の反対側の底面、及び複数の側面を有する脇机部分も備える。脇机部分は、第１の部分と接合され、実質的に脇机部分の上面を二等分する第３の長手方向軸を有する。第３の長手方向軸は、実質的に第１の長手方向軸に垂直である。
2009538719.tif 000002
【特許請求の範囲】
【請求項１】
上面、前記上面の反対側の底面、及び複数の側面を有する第１の部分であって、第１の部分が第１の長手方向軸を有し、前記第１の長手方向軸が実質的に第１の部分の前記上面を二等分する第１の部分と、
上面、前記上面の反対側の底面、及び複数の側面を有する対角部分であって、対角部分が前記第１の部分と接合され、対角部分が第２の長手方向軸を有し、前記第２の長手方向軸が実質的に対角部分の前記上面を二等分し、前記第１の部分及び対角部分が、前記第１の長手方向軸及び前記第２の長手方向軸が互いに対角になるように向けられる対角部分とを備えるデスクトップ。
【請求項２】
前記第１の部分及び前記対角部分が、９０度未満である前記第１の長手方向軸と前記第２の長手方向軸の間の角度を画成するように向けられる、請求項１に記載のデスクトップ。
【請求項３】
前記第１の部分及び前記対角部分が、９０度より大きい前記第１の長手方向軸と前記第２の長手方向軸の間の角度を画成するように向けられる、請求項１に記載のデスクトップ。
【請求項４】
前記第１の部分の前記複数の側面のうちの少なくとも１つ、及び前記対角部分の前記複数の側面のうちの少なくとも１つが、所定の曲率を有する作業者側縁部を画成する、請求項１に記載のデスクトップ。
【請求項５】
前記所定の曲率が、前記作業者側縁部が前記第１の長手方向軸及び前記第２の長手方向軸に向かって放射状に広がるように構成される、請求項４に記載のデスクトップ。
【請求項６】
上面、前記上面の反対側の底面、及び複数の側面を有する脇机部分をさらに備え、前記脇机部分が前記第１の部分と接合され、前記脇机部分が第３の長手方向軸を有し、前記第３の長手方向軸が実質的に前記脇机部分の前記上面を二等分し、前記第３の長手方向軸が実質的に前記第１の長手方向軸に垂直である、請求項１に記載のデスクトップ。
【請求項７】
前記第１の部分が前記脇机部分及び前記対角部分よりも短い、請求項６に記載のデスクトップ。
【請求項８】
前記第１の部分が作業者の作業領域を含むようになされた、請求項１に記載のデスクトップ。
【請求項９】
前記対角部分の前記複数の側面のうちの少なくとも１つが、所定の曲率を有する少なくとも１つの部分を有する来訪者側縁部を画成する、請求項１に記載のデスクトップ。
【請求項１０】
前記所定の曲率が、前記来訪者側縁部の少なくとも１つの部分が前記第２の長手方向軸に向かって放射状に広がるように選択された、請求項９に記載のデスクトップ。
【請求項１１】
前記所定の曲率が、前記来訪者側縁部の少なくとも１つの部分が前記第２の長手方向軸から離れる方向に放射状に広がるように選択された、請求項９に記載のデスクトップ。
【請求項１２】
前記対角部分が、前記第２の長手方向軸と前記来訪者側縁部の間に画成される前記対角部分の実質的に半分の部分である来訪者の作業領域を含むようになされた、請求項９に記載のデスクトップ。
【請求項１３】
前記第１の部分及び前記対角部分が単一の連続する部分によって画成される、請求項１に記載のデスクトップ。
【請求項１４】
前記第１の部分、前記対角部分、及び前記脇机部分が単一の連続する部分によって画成される、請求項６に記載のデスクトップ。
【請求項１５】
前記第１の長手方向軸と前記第２の長手方向軸の間の前記角度が、前記第１の長手方向軸と前記第３の長手方向軸の間に画成される第２の角度より少ない、請求項６に記載のデスクトップ。
【請求項１６】
前記第１の長手方向軸と前記第２の長手方向軸の間の前記角度が、約５０から７０度である、請求項２に記載のデスクトップ。
【請求項１７】
前記第１の長手方向軸と前記第２の長手方向軸の間の前記角度が、約６０度である、請求項１６に記載のデスクトップ。
【請求項１８】
前記第１の長手方向軸と前記第２の長手方向軸の間の前記角度が、約１１０から１３０度である、請求項３に記載のデスクトップ。
【請求項１９】
前記第１の長手方向軸と前記第２の長手方向軸の間の前記角度が、約１２０度である、請求項１８に記載のデスクトップ。
【請求項２０】
前記対角部分の端部が台座部分を備える、請求項１に記載のデスクトップ。
【請求項２１】
上面、前記上面の反対側の底面、及び複数の側面を有する第１の部分であって、第１の部分が第１の長手方向軸を有し、前記第１の長手方向軸が実質的に第１の部分の前記上面を二等分する第１の部分と、
上面、前記上面の反対側の底面、及び複数の側面を有する対角部分であって、対角部分が前記第１の部分と接合され、対角部分が第２の長手方向軸を有し、前記第２の長手方向軸が実質的に対角部分の前記上面を二等分し、前記第１の部分及び対角部分が、前記第１の長手方向軸及び前記第２の長手方向軸が互いに対角になるように向けられる対角部分と、
上面、前記上面の反対側の底面、及び複数の側面を有する脇机部分であって、脇机部分が前記第１の部分と接合され、脇机部分が第３の長手方向軸を有し、前記第３の長手方向軸が実質的に脇机部分の前記上面を二等分し、前記第３の長手方向軸が実質的に前記第１の長手方向軸に垂直である脇机部分とを備え、
前記第１の部分の前記複数の側面のうちの少なくとも１つ、及び前記対角部分の前記複数の側面のうちの少なくとも１つが作業者側縁部を画成し、前記作業者側縁部が、前記第１の長手方向軸及び前記第２の長手方向軸に向かって放射状に広がるように構成された所定の曲率を有するデスクトップ。
【請求項２２】
前記第１の部分及び前記対角部分が、９０度未満である前記第１の長手方向軸と前記第２の長手方向軸の間の角度を画成するように向けられる、請求項２１に記載のデスクトップ。
【請求項２３】
前記第１の部分及び前記対角部分が、９０度より大きい前記第１の長手方向軸と前記第２の長手方向軸の間の角度を画成するように向けられる、請求項２１に記載のデスクトップ。
【請求項２４】
前記対角部分の前記複数の側面のうちの少なくとも１つが、所定の曲率を有する少なくとも１つの部分を有する来訪者側縁部を画成する、請求項２１に記載のデスクトップ。
【請求項２５】
前記所定の曲率が、前記来訪者側縁部の少なくとも１つの部分が前記第２の長手方向軸に向かって放射状に広がるように選択された、請求項２４に記載のデスクトップ。
【請求項２６】
前記所定の曲率が、前記来訪者側縁部の少なくとも１つの部分が前記第２の長手方向軸から離れる方向に放射状に広がるように選択された、請求項２４に記載のデスクトップ。
【請求項２７】
前記対角部分が、前記第２の長手方向軸と前記来訪者側縁部の間に画成される前記対角部分の実質的に半分の部分である来訪者の作業領域を含むようになされた、請求項２４に記載のデスクトップ。
【請求項２８】
前記第１の長手方向軸と前記第２の長手方向軸の間の前記角度が、約５０から７０度である、請求項２２に記載のデスクトップ。
【請求項２９】
前記第１の長手方向軸と前記第２の長手方向軸の間の前記角度が、約６０度である、請求項２８に記載のデスクトップ。
【請求項３０】
前記第１の長手方向軸と前記第２の長手方向軸の間の前記角度が、約１１０から１３０度である、請求項２３に記載のデスクトップ。
【請求項３１】
前記第１の長手方向軸と前記第２の長手方向軸の間の前記角度が、約１２０度である、請求項３０に記載のデスクトップ。
【請求項３２】
少なくとも部分的に密閉された、実質的に平行四辺形のオフィス領域を画成する複数の壁であって、前記複数の壁のそれぞれが軸を画成する複数の壁と、デスクトップとを備え、前記デスクトップが、
上面、前記上面の反対側の底面、及び複数の側面を有する第１の部分であって、第１の部分が第１の長手方向軸を有し、前記第１の長手方向軸が実質的に第１の部分の前記上面を二等分し、前記第１の長手方向軸が前記複数の壁のうちの１つによって画成される前記軸のうちの１つに実質的に平行になっている第１の部分と、
上面、前記上面の反対側の底面、及び複数の側面を有する対角部分であって、対角部分が前記第１の部分と接合され、対角部分が第２の長手方向軸を有し、前記第２の長手方向軸が、実質的に対角部分の前記上面を二等分し、前記複数の壁のうちの１つによって画成される前記軸のうちの、前記第１の長手方向軸と平行な軸とは異なる軸に実質的に平行になっている対角部分とを有し、
前記第１の部分及び前記対角部分が、前記第１の長手方向軸及び前記第２の長手方向軸が互いに対角になるように向けられるモジュール式オフィス・システム。
【請求項３３】
前記第１の部分及び前記対角部分が、９０度より大きい前記第１の長手方向軸と前記第２の長手方向軸の間の角度を画成するように向けられる、請求項３２に記載のモジュール式オフィス・システム。
【請求項３４】
前記第１の長手方向軸と前記第２の長手方向軸の間の前記角度が、約１１０から１３０度である、請求項３３に記載のモジュール式オフィス・システム。
【請求項３５】
前記第１の長手方向軸と前記第２の長手方向軸の間の前記角度が、約１２５度である、請求項３４に記載のモジュール式オフィス・システム。
【発明の詳細な説明】
【技術分野】
【０００１】
本発明は一般に、デスクトップに関する。特に、本発明は第１の部分、及び第１の部分に対して対角線上に向けられた対角部分（ｄｉａｇｏｎａｌ  ｐｏｒｔｉｏｎ）を有するデスクトップを対象とする。
【背景技術】
【０００２】
従来のオフィス用家具システムには、脇机やクリデンザを備える、又は備えない標準的な机が含まれる。そのような従来のオフィス用家具システムは、一般により広いオフィスの占有面積を必要とし、全体のオフィス空間を効率的に使用しない。
【０００３】
オフィス空間をより効率的に使用可能にするために、Ｌ字型及びＵ字形のワークステーション様のオフィス用家具システムが開発された。そのようなシステムは、一般に周囲のオフィスの寸法に従った寸法に決められている。残念なことに、そのようなシステムは、全体的に人々を遠ざけ、非生産的な作業空間を生じる障壁を形成する。来訪者（ｇｕｅｓｔ）は全体的に、使用者の真後ろに立つことなく、使用者又は作業者の作業領域にほとんど又は全く立ち入ることができない。最終的に、来訪者はしばしば作業空間がほとんど又は全くなく、複数の来訪者は互いに近づいて着席することが求められる。
【発明の概要】
【課題を解決するための手段】
【０００４】
本発明の１つの態様は、上面、上面の反対側の底面、及び複数の側面を有する第１の部分を備えるデスクトップである。第１の部分は、上面を実質的に二等分する第１の長手方向軸を備える。デスクトップは、上面、上面の反対側の底面、及び複数の側面を有する対角部分も備える。対角面（ｄｉａｇｏｎａｌ  ｓｕｒｆａｃｅ）は、第１の部分と接合され、対角部分の上面を実質的に二等分する第２の長手方向軸を含む。第１の部分及び対角部分は、第１の長手方向軸及び第２の長手方向軸が互いに対角になるように向けられる。
【０００５】
本発明の別の態様は、上面、上面の反対側の底面、及び複数の側面を有する第１の部分を備えるデスクトップである。第１の部分は、その上面を実質的に二等分する第１の長手方向軸を備える。デスクトップは、上面、上面の反対側の底面、及び複数の側面を有する対角部分を備える。対角面は、第１の部分と接合され、第２の長手方向軸を備える。第２の長手方向軸は実質的に、対角部分の前記上面を二等分する。第１の部分及び対角部分は、第１の長手方向軸及び第２の長手方向軸が互いに対角になるように向けられる。デスクトップは、上面、上面の反対側の底面、及び複数の側面を有する脇机部分も備える。脇机部分は、第１の部分と接合され、第３の長手方向軸を有する。第３の長手方向軸は、実質的に脇机部分の上面を二等分し、実質的に第１の長手方向軸に垂直である。第１の部分の複数の側面のうちの少なくとも１つ、及び対角部分の複数の側面のうちの少なくとも１つは、作業者側縁部を画成する。作業者側縁部は、それが第１の長手方向軸及び第２の長手方向軸に向かって放射状に広がるように構成された所定の曲率を有する。
【０００６】
本発明の別の態様は、複数の壁及びデスクトップを備えるモジュール式オフィス・システムである。複数の壁は、少なくとも部分的に密閉された、実質的に平行四辺形のオフィス領域を画成し、複数の壁のそれぞれは軸を画成する。デスクトップは第１の部分及び対角部分を含む。第１の部分は、上面、上面の反対側の底面、及び複数の側面を有する。第１の部分は、それを実質的に二等分する第１の長手方向軸を備える。第１の長手方向軸は、複数の壁のうちの１つによって画成される軸のうちの１つに実質的に平行である。対角部分は、上面、上面の反対側の底面、及び複数の側面を有する。対角部分は、第１の部分と接合され、第２の長手方向軸を画成する。第２の長手方向軸は、対角部分の上面を実質的に二等分し、複数の壁のうちの１つによって画成される軸のうちの、第１の長手方向軸と平行な軸とは異なる軸に実質的に平行である。第１の部分及び対角部分は、第１の長手方向軸及び第２の長手方向軸が互いに対角になるように向けられる。
【図面の簡単な説明】
【０００７】
本発明を例示する目的で、図面は本発明の現時点で好ましい形を示す。しかし、本発明は図面に示される詳細な構成及び手段に限定されないことを理解されたい。
【０００８】
【図１】本発明の１つの実施例によるデスクトップの正面等角図である。
【図２】本発明の１つの実施例によるデスクトップの上面図である。
【図３】本発明の１つの実施例によるデスクトップの上面図である。
【図４】本発明の１つの実施例によるモジュール式オフィス・システムの正面等角図である。
【図５】本発明の１つの実施例によるデスクトップの上面図である。
【発明を実施するための形態】
【０００９】
次に、同様の参照番号が同様の部品を示す図面、特に図１〜３を参照すると、本発明の１つの態様はデスクトップ２０である。１つの実施例では、デスクトップ２０は第１の部分２２及び第１の部分に対角になるように向けられた対角部分２４を含む。
【００１０】
第１の部分２２は、上面２６、上面の反対側にあり、一般に上面の鏡像である底面２８、及び複数の側面３０を有する。第１の部分２２は全体的に、上面２６を実質的に二等分できる第１の長手方向軸３２に沿って延出する。第１の部分２２は全体的に、作業者の作業領域３４を備えるようになされ、又は構成される。複数の側面３０のうちの少なくとも１つが作業者側縁部３６を画成できる。作業者側縁部３６は一般に、所定の曲率３８を有する。所定の曲率３８の形状は全体的に、作業者側縁部３６が第１の長手方向軸３２に向かって放射状に広がるように選択される。
【００１１】
対角部分２４は、上面４０、上面の反対側にあり、一般に上面の鏡像である底面４２、及び複数の側面４４を有する。対角部分２４の少なくとも１つの端部は、対角部分に連続することができ、又は連続することができない、台座部分４６によって画成でき、又はその部分を含むことができる。対角部分２４は全体的に、対角部分の上面４０を実質的に二等分できる第２の長手方向軸４８に沿って延出する。第１の部分２２及び対角部分２４は一般に、第１の長手方向軸３２及び第２の長手方向軸４８が互いに対角になるように向けられる。１つの実施例では、第１の部分２２及び対角部分２４は、９０度未満である第１の長手方向軸３２と第２の長手方向軸４８の間の角度５０を画成するように向けられる。別の実施例では、角度５０は約５０から７０度である。別の実施例では、角度５０は約６０度である。
【００１２】
作業者側縁部３６を画成するために、複数の側面４４のうちの少なくとも１つが複数の側面３０のうちの少なくとも１つと接合される。第１の長手方向軸３２に向かって全体的に放射状に広がることに加えて、所定の曲率３８は、作業者側縁部３６も第２の長手方向軸４８に向かって全体的に放射状に広がるように選択される。複数の側面４４のうちの少なくとも１つが、作業者側縁部３６の１つの部分５４の実質的に反対側にある来訪者側縁部５２を画成できる。来訪者の作業領域５６は、第２の長手方向軸４８と来訪者側縁部５２の間の対角部分２４の半分の部分５８に実質的に画成される。対角部分２４の残りの部分６０は、作業者の追加の作業領域３４を画成する。来訪者側縁部５２は、少なくとも１つの部分が第２の長手方向軸４８に向かって放射状に広がるように選択された所定の曲率６４を有する少なくとも１つの部分６２を備えることができる。来訪者側縁部５２は、少なくとも１つの部分が第２の長手方向軸４８に向かって放射状に広がるように選択された所定の曲率６８を有する少なくとも１つの部分６６を備えることもできる。
【００１３】
図１及び３に示されるように、デスクトップ２０及び７０は、脇机部分７２も備えることができる。脇机部分７２は、上面７４、上面の反対側にあり、一般に上面の鏡像である底面７６、及び複数の側面７８を一般的に有する。脇机部分７２は、脇机部分の上面７４を実質的に二等分する第３の長手方向軸８０に沿って全体的に延出する。一般に、第３の長手方向軸８０は、実質的に第１の長手方向軸３２に垂直である。少なくとも１つの実施例では、第１の長手方向軸３２と第２の長手方向軸４８の間の角度５０は、第１の長手方向軸と第３の長手方向軸８０の間に画成される第２の角度８２より少ない。
【００１４】
対角部分２４は、全体的に第１の部分２２と接合される。それぞれデスクトップ２０、９０、及び７０を示す図１〜３では、第１の部分２２及び対角部分２４が、単一の連続する部分９２によって画成できる。図１に破線９４で示されるように、デスクトップ２０などの他の実施例では、第１の部分２２及び対角部分２４は連続しないこともあり、互いに隣接して配置される２つの別々の部分であることができる。脇机部分７２を備えるデスクトップ２０及び７０は、第１の部分２２、対角部分２４、及び脇机部分が単一の連続する部分によって画成されるように構成できる。デスクトップ２０及び７０は、第１の部分２２、対角部分２４、及び脇机部分７２が互いに隣接して配置される別々の部分であるように構成することもできる。或いは、図２に示されるように、デスクトップ９０は、第１の部分２２及び対角部分２４のみを備えることができ、脇机部分７２を備えないことも可能である。
【００１５】
デスクトップ２０、７０、及び９０は、全体的に周囲の作業領域及び使用者の必要な寸法に従った寸法に決められ得る。一般に、第１の部分２２は、脇机部分７２及び対角部分２４の両方よりも短い。第１の部分２２は、全体的に約１．５２４メートル（約５フィート）から約１．８２９メートル（約６フィート）の長さを有する。対角部分２４は、全体的に約２．４３８メートル（約８フィート）から約３．０４８メートル（約１０フィート）の長さを有する。脇机部分７２の長さは、図１及び３に示されるように変更することができ、全体的に約０．９１４４メートル（約３フィート）から約２．１３４メートル（約７フィート）である。所定の曲率３８及び６８の半径Ｒ１及びＲ２は、それぞれ変更することもできるが、同じく全体的にそれぞれ約０．６０９６メートル（約２フィート）から約０．９１４４メートル（約３フィート）、及び約１．５２４メートル（約５フィート）から約１．８２９メートル（約６フィート）である。
【００１６】
次に図４及び５を参照すると、本発明の別の実施例はモジュール式オフィス・システム１００であり、そのモジュール式オフィス・システム１００は全体的に、第１の部分１０６を有するデスクトップ１０４、及びその中に配置された対角部分１０８を有する、実質的に平行四辺形のオフィス領域１０２を備える。
【００１７】
実質的に平行四辺形のオフィス領域１０２は、複数の壁１１０、１１２、１１４によって画成される。複数の壁１１０、１１２、１１４のそれぞれは、それぞれの軸１１６、１１８、１２０を画成する。
【００１８】
デスクトップ１０４の第１の部分１０６は、上面１２２、上面の反対側にある底面１２４、及び複数の側面１２６を備える。第１の部分１０６は、上面１２２を実質的に二等分する第１の長手方向軸１２８を画成する。第１の長手方向軸１２８は、図４及び５の軸１１６、１１８、１２０のうちの１つ、たとえば軸１１８などに全体的に実質的に平行である。
【００１９】
デスクトップ１０４の対角部分１０８は、上面１３０、上面の反対側にある底面１３２、及び複数の側面１３４を備える。対角部分１０８は、一般的に第１の部分１０６と接合される。対角部分１０８は、上面１３０を実質的に二等分する第２の長手方向軸１３６を画成する。第２の長手方向軸１３６は、図４及び５の軸１１６、１１８、１２０のうちのたとえば軸１２０など、第１の長手方向軸１２８と平行な軸とは異なる軸に全体的に実質的に平行である。その結果、第１の部分１０６及び対角部分１０８は全体的に、第１の長手方向軸１２８及び第２の長手方向軸１３６が互いに対角になるように向けられる。１つの実施例では、第１の部分１０６及び対角部分１０８は、９０度より大きい第１の長手方向軸と第２の長手方向軸の間の角度１３８を画成するように向けられる。１つの実施例では、角度１３８は約１１０から１３０度である。別の実施例では、角度１３８は約１２５度である。
【００２０】
作業者側縁部１４０を画成するために、複数の側面１２６のうちの少なくとも１つが複数の側面１３４のうちの少なくとも１つと接合される。第１の長手方向軸１２８に向かって全体的に放射状に広がることに加えて、所定の曲率１４２が、作業者側縁部１４０も第２の長手方向軸１３６に向かって全体的に放射状に広がるように選択される。複数の側面１３４のうちの少なくとも１つが、作業者側縁部１４０の１つの部分１４６の実質的に反対側にある来訪者側縁部１４４を画成できる。来訪者の作業領域１４８が、来訪者側縁部１４４に隣接する対角部分１０８の上面１３０の１つの部分１５０に実質的に画成される。対角部分１０８の残りの部分１５２は、作業者の作業領域１５４の１つの部分を画成する。来訪者側縁部１４４は、少なくとも１つの部分が第１の長手方向軸１２８に向かって放射状に広がるように選択された所定の曲率１５８を有する少なくとも１つの部分１５６を備えることができる。来訪者側縁部１４４は、少なくとも１つの部分が第２の長手方向軸１３６に向かって放射状に広がるように選択された所定の曲率１６２を有する、少なくとも１つの部分１６０を備えることもできる。
【００２１】
デスクトップ１０４の多くの態様は、デスクトップ２０、７０、及び９０の同様の態様と類似したものである。デスクトップ１０４は一般に、デスクトップ２０、７０、及び９０と同様に、又はそれが配置される、それぞれの実質的に平行四辺形のオフィス領域１０２の寸法に従って寸法を決められる。１つの実質的に平行四辺形のオフィス領域１０２に関する例示の寸法は、約１．５２４メートル（約５フィート）から約２．１３４メートル（約７フィート）の長さを有する２つの側面、及び約１．８２９メートル（約６フィート）から約２．７４３メートル（約９フィート）の長さを有する２つの側面を備える。１つの実施例では、２つの側面が約１．８２９メートル（６フィート）で、２つの側面が約２．２８６メートル（７．５フィート）である。
【００２２】
本発明に従ったデスクトップは、一般に固体木材（ｓｏｌｉｄ  ｗｏｏｄ）及び／又は複合木材（ｃｏｍｐｏｓｉｔｅ  ｗｏｏｄ  ｍａｔｅｒｉａｌｓ）から製造される。一般に、本発明の全ての表面は平坦及び／又は平滑である。しかし、本発明によるデスクトップは、プラスチック、金属、石、及び実質的に平坦な表面を含み、且つ本発明の幾何学的な構成に従って製造できる、任意のその他の材料からも製造できる。
【００２３】
本発明のデスクトップは、現存するデスクトップ及び関連するオフィス用家具システムより優れた利点をもたらす。本発明によるデスクトップを有するオフィス用家具システムを含む約２．７４３メートル（９フィート）×約３．６５８メートル（１２フィート）のオフィス空間は、一般に従来のＵ字形オフィス用家具システムより優れた４０％より大きな有用な表面空間まで提供する。対角部分及び第１の部分の両方の内方向の湾曲は、作業者／使用者、及び来訪者の両方に関する協働を促し、作業領域を最大化する。対角部分の外方向の湾曲は全体的に、来訪者にアーム・スペース、現存するシステムを超える追加の作業領域、及び互いの間の快適な距離をもたらす。内方向及び外方向の湾曲によって、はるかに個人的で、向かい合った感覚ではなく隣り合った感覚をより多く起こさせる、使用者間の距離が生じる。第１の部分に対する対角部分の対角の向きにより、来訪者は、作業者／使用者のコンピュータのモニターをより容易に見ることができるようになる。
【００２４】
本発明をその例示の実施例に対して説明及び例示してきたが、前述及び様々なその他の変更、省略、及び付加を本発明の趣旨及び範囲から離れずにその中に、及びそこに行うことができることを当業者は理解する必要がある。したがって、その他の実施例は、添付の特許請求の範囲内にある。
【図１】
2009538719.tif 000003
【図２】
2009538719.tif 000004
【図３】
2009538719.tif 000005
【図４】
2009538719.tif 000006
【図５】
2009538719.tif 000007
【国際調査報告】
2009538719.tif 000008